【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
機械的回転中心および光学的回転中心を有するスキャナを含むデバイスであって、該スキャナが、
出力走査ビームを提供するように、入力走査ビームを反射するリフレクタ部品；
該出力走査ビームが該光学的回転中心に対して定常である走査を提供するように、該機械的回転中心に対して該リフレクタ部品の一端の周囲を旋回させる、該リフレクタ部品を支持する手段；
該支持手段が該リフレクタ部品の該一端の周囲の制御された旋回を提供することを可能にする手段；
作動されると、該リフレクタ部品の該一端の周囲の旋回を生じさせるマグネット部品；および
それによって該リフレクタ部品の該一端の周囲の旋回を生じさせるように、該マグネット部品を作動させる手段、
を含む、デバイス。
【請求項２】
前記支持手段が、ジンバル懸架アセンブリを含む、請求項１に記載のデバイス。
【請求項３】
前記スキャナが、直交走査の機械的回転中心に対して直角のピッチ軸を有し、そして前記ジンバル懸架アセンブリが、該直角のピッチ軸と一致するほぼ円柱状の軸およびほぼ円柱状の凹部を有するマウント；該円柱状軸によって受けられる、ベース部材上に取り付けられるベアリング；および該円柱状凹部によって受けられ、そして該ベース部材上に取り付けられる端部を有する、該機械的回転中心と一致する第２の軸を含む、請求項２に記載のデバイス。
【請求項４】
前記リフレクタ部品が、第１のプリズムおよび第２のプリズムを含む、請求項３に記載のデバイス。
【請求項５】
前記第１および第２のプリズムの各々が、反射プリズムを含む、請求項４に記載のデバイス。
【請求項６】
前記第１および第２のプリズムの各々が、アナモルフィック反射プリズムを含む、請求項５に記載のデバイス。
【請求項７】
前記作動手段が、１以上のボイスコイルを含む、請求項４に記載のデバイス。
【請求項８】
前記マグネット部品が、前記第１および第２のプリズムの１つと係合する上方プリズム係合セグメント、および１対のほぼ牙状のセグメントを含み、１つの牙状セグメントが該上方セグメントの各端から伸長しそしてそこから下方に曲がり、そして前記作動手段が、一対のボイスコイルを含み、１つのボイスコイルが該牙状セグメントの一方を受け、他方のボイスコイルが他方の該牙状セグメントを受ける、請求項７の記載のデバイス。
【請求項９】
前記ボイスコイルが同相の正弦曲線で作動されると、定常ＯＣＲ走査を行うように前記リフレクタ部品が前記機械的回転中心の周囲を旋回し、そして該ボイスコイルが位相が１８０度ずれた正弦曲線で作動されると、直交走査を行うように該リフレクタ部品が前記ピッチ軸の周囲を旋回する、請求項８に記載のデバイス。
【請求項１０】
前記ボイスコイルが、定常ＯＣＲ走査および直交走査を行うように作動される、請求項９に記載のデバイス。
【請求項１１】
前記スキャナが、２０°までの走査レンジを有する、請求項１に記載のデバイス。
【請求項１２】
前記スキャナが、３５°から４５°までの範囲のビーム角を有する出力走査ビームを提供する、請求項１１に記載のデバイス。
【請求項１３】
前記可能化手段が、前記支持手段の動きをプリロードするバネアセンブリを含む、請求項１に記載のデバイス。
【請求項１４】
前記バネアセンブリが、１対の間隔のあいたトーションバネを含む、請求項１３に記載のデバイス。
【請求項１５】
前記支持手段が、フレクシャーアセンブリ取付部分を有し、そして前記可能化手段が、フレクシャーアセンブリを含み、該フレクシャーアセンブリが、該フレクシャーアセンブリ取付部分の下部にそれに対して取り付けられる１対の間隔のあいた上方フレクシャー部品を有し、各上方フレクシャー部品が、前記反射プリズムが前記機械的回転中心に対して制御可能に旋回することを可能にする少なくとも１つのフレクシャーセグメントを有する、請求項１に記載のデバイス。
【請求項１６】
前記スキャナが、直交走査についての該機械的回転中心に対して直角のピッチ軸を有し、そして前記フレクシャーアセンブリが、１対の間隔のあいた下方フレクシャー部品をさらに含み、各下方フレクシャー部品が、前記上方フレクシャー部品の一方の下部に取り付けられ、各下方フレクシャー部品が、前記反射プリズムが該ピッチ軸に対して制御可能に旋回することを可能にする少なくとも１つのフレクシャーセグメントを有する、請求項１５に記載のデバイス。
【請求項１７】
前記機械的回転中心が定常である、請求項１に記載のデバイス。
【請求項１８】
機械的回転中心軸、光学的回転中心、および該機械的回転中心軸に対して直角のピッチ軸を有するスキャナを含むデバイスであって、該スキャナが、
円形化された出力走査ビームを提供するように、楕円入力走査ビームを円形化する反射プリズム；
該反射プリズムが取り付けられるプリズムキャリアマグネット懸架アセンブリ；
該キャリア懸架アセンブリに接続されるフレクシャー手段であって、該反射プリズムが、
該出力走査ビームが該光学的回転中心に対して定常である走査を提供するように、該機械的回転中心軸に対して該反射プリズムの一端で、および
該出力走査ビームが直交走査を提供するように、該ピッチ軸に対して、
制御可能に旋回することを可能にする、フレクシャー手段；
作動されると、該反射プリズムを該機械的回転中心軸および該ピッチ軸の１以上に対して制御可能に旋回させるマグネット部品；および
それによって該反射プリズムを該機械的回転中心軸および該ピッチ軸の１以上に対して制御可能に旋回させるように、該マグネット部品を作動させる手段、
を含む、デバイス。
【請求項１９】
前記反射プリズムが、第１の屈折入力面、第２の上方中間反射面、および第３の屈折出力面を有するアナモルフィックプリズムを含む、請求項１８に記載のデバイス。
【請求項２０】
前記スキャナが、ホログラフィック記憶媒体の上方に取り付けられた、該媒体によって記録されたホログラムのイメージを捕獲するエリアセンサをさらに含む、請求項１８に記載のデバイス。
【請求項２１】
前記マグネット部品が、前記キャリア懸架アセンブリの一部に取り付けられる、請求項１８に記載のデバイス。
【請求項２２】
前記懸架アセンブリが、後方の磁束伝導セクションを含み、該後方セクションが、前記マグネット部品に隣接するベースセグメントを含む、請求項２１に記載のデバイス。
【請求項２３】
前記作動手段が、ボイスコイルアセンブリを含み、そして前記後方セクションが、１対のほぼ牙状のセグメントをさらに含み、一方の牙状セグメントは該ベースセグメントの一端から下方に曲がり、そして他方の牙状セグメントは該ベースセグメントの他端から下方に曲がり、該牙状セグメントが該ボイスコイルアセンブリによって受けられ、そして該ボイスコイルアセンブリの作動が前記懸架アセンブリの旋回を生じる、請求項２２の記載のデバイス。
【請求項２４】
前記ボイスコイルアセンブリが、１対のボイスコイルを含み、そして各ボイスコイルが、前記牙状セグメントの一方を受ける、請求項２３に記載のデバイス。
【請求項２５】
前記ボイスコイルが同相の正弦曲線で作動されると、定常光学的回転中心走査を行うように前記プリズムが前記機械的回転中心に対して旋回し、そして、該ボイスコイルが位相が１８０度ずれた正弦曲線で作動されると、直交走査を行うように該プリズムが前記ピッチ軸に対して旋回する、請求項２４に記載のデバイス。
【請求項２６】
前記ボイスコイルが、定常光学的回転中心走査および直交走査を行うように作動される、請求項２５に記載のデバイス。
【請求項２７】
前記懸架アセンブリが、前記マグネット部品に隣接する前方セクションを含み、該前方セクションがフレクシャー手段取付部分を有し、そして前記フレクシャー手段が、１対の間隔のあいた上方フレクシャー部品および１対の間隔のあいた下方フレクシャー部品を含み、該１対の上方フレクシャー部品が、該フレクシャー手段取付部分の下部にそれに対して取り付けられ、各上方フレクシャー部品が、前記反射プリズムが前記機械的回転中心に対して制御可能に旋回することを可能にする少なくとも１つのフレクシャーセグメントを有し、各下方フレクシャー部品が、該上方フレクシャー部品の一方の下部に取り付けられ、各下方フレクシャー部品が、該反射プリズムが前記ピッチ軸に対して制御可能に旋回することを可能にする少なくとも１つのフレクシャーセグメントを有する、請求項２２に記載のデバイス。
【請求項２８】
前記少なくとも１つの上方フレクシャーセグメントの各々が、ほぼＸ形状の構造を形成する１対の上方フレクシャーセグメントを含む、請求項２７に記載のデバイス。
【請求項２９】
前記スキャナが、２０°までの走査レンジを有する、請求項１８に記載のデバイス。
【請求項３０】
前記スキャナが、３５°から４５°までの範囲のビーム角を有する円形化出力走査ビームを提供する、請求項２９に記載のデバイス。
【請求項３１】
前記スキャナが、前記直交走査の実行において、前記ピッチ軸に対して０．５°まで旋回する、請求項１８に記載のデバイス。
【請求項３２】
前記機械的回転中心軸が、定常である、請求項１８に記載のデバイス。
【請求項３３】
フレクシャーアセンブリおよび該フレクシャーアセンブリに接続される反射部品懸架アセンブリを含むデバイスであって、該フレクシャーアセンブリが、
該懸架アセンブリが定常機械的回転中心軸に対して制御可能に旋回することを可能にする、１対の間隔のあいた上方フレクシャー部品；
該上方フレクシャー部品の各々は、下方ベースセグメント、上方セグメント、および該上方フレクシャー部品の該下方ベースセグメントを該上方フレクシャー部品の該上方セグメントに斜めに接続する少なくとも１つのフレクシャーセグメントを有する；および
該懸架アセンブリが該機械的回転中心軸に直交する軸に対して制御可能に旋回することを可能にする、１対の間隔のあいた下方フレクシャー部品；
該下方フレクシャー部品の一方は該上方フレクシャー部品の一方の下部に取り付けられ、該下方フレクシャー部品の他方は該上方フレクシャー部品の他方の下部に取り付けられ；
該下方フレクシャー部品の各々は、下方ベースセグメント、上方セグメント、および該直交軸に対して斜めおよび外側に伸長し、そして該下方フレクシャー部品の該下方ベースセグメントを該下方フレクシャー部品の該上方セグメントに接続する少なくとも１つのフレクシャーセグメントを有する、
を含む、デバイス。
【請求項３４】
前記懸架アセンブリが、フレクシャーアセンブリ取付部分を有する前方セクションを含み、そして前記上方フレクシャー部品が、該フレクシャーアセンブリ取付部分の下部にそれに対して取り付けられる、請求項３３に記載のデバイス。
【請求項３５】
前記少なくとも１つの上方フレクシャーセグメントが、前記懸架アセンブリが第１の軸に対して制御可能に旋回することを可能にし、そして前記少なくとも１つの下方フレクシャーセグメントが、該懸架アセンブリが該第１の軸に直交する第２の軸に対して制御可能に旋回することを可能にする、請求項３３に記載のデバイス。
【請求項３６】
前記少なくとも１つの上方フレクシャーセグメントの各々が、ほぼＸ形状の構造を形成するように前記下方ベースセグメントを前記上方セグメントに斜めに接続する１対の上方フレクシャーセグメントを含む、請求項３３に記載のデバイス。
【請求項３７】
各上方フレクシャー部品の前記下方ベースセグメントが、ほぼＬ形状でありそして長セクションおよび該長セクションの一端から伸長する短セクションを有し、そして前記１対の上方フレクシャーセグメントの一方が、該長セクションを該上方フレクシャー部品の上方セグメントに接続するように斜め上方に１方向で伸長し、そして該１対の該上方フレクシャーセグメントの他方が、該短セクションを該上方フレクシャー部品の上方セグメントに接続するように上方に逆方向で伸長する、請求項３６に記載のデバイス。
【請求項３８】
前記短セクションが、内側および相互に向かって伸長する、請求項３７に記載のデバイス。
【請求項３９】
前記少なくとも１つの下方フレクシャーセグメントが、１つの下方フレクシャーセグメントを含む、請求項３３に記載のデバイス。
【請求項４０】
各下方フレクシャーセグメントが、前記下方フレクシャー部品の下方ベースセグメントから該下方フレクシャー部品の上方セグメントに斜め上方にそして前記上方フレクシャーセグメントが斜めに伸長する方向に対して垂直の方向で伸長する、請求項３９に記載のデバイス。